(57)【要約】【課題】  スタック用であることをほとんど意識させないスタック用の形状を有する容器を提供する。【解決手段】  容器１０の内側に突出した段部１３１が形成された複数の個別形状１３が２次元的に分散配置された形状を有する胴体１２を有し、複数の個別形状１３のうちの、同一高さ位置において周回方向複数箇所に配置された複数の特定個別形状１３Ａそれぞれの段部１３１Ａが、容器１０の上方の開口２０からこの容器１０と同形の第２の容器１０’を差し込んだときに第２の容器１０’の底板１１’の周縁に干渉して第２の容器１０’の更なる下方への差し込みを阻止するスタック用の段部である。【選択図】        図７
2014031200.tif 000002
【特許請求の範囲】
【請求項１】
上方が開口し、該開口よりも小径の底板と、筒形であって該底板に繋がる下端と比べ該開口を形成している上端が大径に形成された胴体とを有する容器であって、
前記胴体が、当該容器の内側に突出した段部が形成された複数の個別形状が２次元的に分散配置された形状を有する胴体であって、
前記複数の個別形状のうちの、同一高さ位置において周回方向複数の箇所に配置された複数の特定個別形状それぞれの前記段部が、当該容器の上方の開口から当該容器と同形の第２の容器を差し込んだときに該第２の容器の底板周縁に干渉して該第２の容器の更なる下方への差し込みを阻止するスタック用の段部であることを特徴とする容器。
【請求項２】
前記特定個別形状の前記段部が、前記個別形状のうちの特定個別形状を除く他の個別形状の前記段部よりも大きな段差をもって当該容器の内側に突出した段部であることを特徴とする請求項１記載の容器。
【請求項３】
前記個別形状のうちの少なくとも一部の個別形状それぞれが、前記胴体の、個々の個別形状形成領域それぞれの下端を回転中心として前記胴体の内側に傾倒させることにより該個々の個別形状形成領域それぞれの上端に前記段部を形成した形状を有することを特徴とする請求項１又は２記載の容器。
【発明の詳細な説明】
【技術分野】
【０００１】
本発明は、胴体にスタック用の形状を有する容器に関する。
【背景技術】
【０００２】
カップ形状の容器を積み重ねたときに、下位の容器とその上に積み重ねた上位の容器が面どうしで接すると容器どうしが強く嵌り合ってしまい、個々の容器に分離するのが難しい状態となってしまう場合がある。このため、容器の胴体内壁下部にスタック用の突起を設けることによりその上にスタックされた上位の容器の底板周縁をその突起に乗せ、これによりスタックされた容器どうしが強く嵌り合うことを防止し、個々の容器への分離を容易とする技術が広く採用されている（特許文献１，２参照）。
【先行技術文献】
【特許文献】
【０００３】
【特許文献１】特開平７−１４９３３８号公報
【特許文献２】特開２００９−１５４９３１号公報
【発明の概要】
【発明が解決しようとする課題】
【０００４】
上記の、スタックのための突起はもっぱらスタックを目的とするものであり、また胴体外面には凹みとしてあらわれることが多く、強度上問題となる場合もあり、またデザイン上も好ましいとは必ずしも言い難い場合もある。
【０００５】
ここで、容器の軽量化あるいは材料の節約によるコストダウンのために、胴体にリブやその他の形状を設け、強度を維持しつつ薄肉化を図ることが行なわれている。
【０００６】
あるいは薄肉化という目的とは無関係に、デザイン上あるいは持ち易さのために胴体に凹凸模様を形成することが行なわれている。
【０００７】
本発明は、上記事情に鑑み、スタック用であることをほとんど意識させない、スタック用の形状を有する容器を提供することを目的とする。
【課題を解決するための手段】
【０００８】
上記目的を達成する本発明の容器は、
上方が開口し、その開口よりも小径の底板と、筒形であって底板に繋がる下端と比べ開口を形成している上端が大径に形成された胴体とを有する容器であって、
胴体が、この容器の内側に突出した段部が形成された複数の個別形状が２次元的に分散配置された形状を有する胴体であって、
それら複数の個別形状のうちの、同一高さ位置において周回方向複数の箇所に配置された複数の特定個別形状それぞれの段部が、この容器の上方の開口からこの容器と同形の第２の容器を差し込んだときにその第２の容器の底板周縁に干渉して第２の容器の更なる下方への差し込みを阻止するスタック用の段部であることを特徴とする。
【０００９】
本発明の容器は、胴体に、例えば薄肉化のための強度向上用の複数の個別形状が分散配置されたものであって、それら複数の個別形状のうちの一部である複数の特定個別形状がスタック用としても作用する。このため、通常の使用状態においてはこの容器のユーザにスタック用であることをほとんど意識させることなく、適切にスタックや分離が行なわれる。
【００１０】
ここで、上記の複数の特定個別形状は周回方向複数の箇所に分散配置されているため、スタックが行なわれたときに隣接する特定個別形状どうしの間を空気が自由に通り抜けることができ、ブロッキングを免れるという作用もある。
【００１１】
上記の本発明の容器において、上記特定個別形状の段部が、個別形状のうちの特定個別形状を除く他の個別形状の段部よりも大きな段差をもって容器の内側に突出した段部であってもよい。
【００１２】
胴体の径が上方に向かって線形に拡大する形状の容器の場合は、大きな段部を形成することで、スタック用の特定個別形状が形成される。
【００１３】
ただし、胴体の形状の工夫により、特定個別形状を含む全ての個別形状の段部の段差を同一に形成し、かつ、それらの個別形状の一部をスタック用としても利用する構成としてもよい。胴体が、例えば上に向かって大きく開いたラッパ型等、胴体下部の開き角度よりも胴体上部の開き角度をより大きな開き角度とした形状の胴体の場合は、全ての個別形状の段部の段差を同一し、それらの個別形状の一部をスタック用として利用することも可能である。
【００１４】
また、本発明の容器において、上記個別形状それぞれが、胴体の、個々の個別形状形成領域それぞれの下端を回転中心として胴体の内側に傾倒させることにより個々の個別形状形成領域それぞれの上端に段部を形成した形状を有するものであってもよい。
【００１５】
胴体にこのような個別形状を分散配置すると強度向上が図られ、薄肉化や軽量化された容器が実現する。
【発明の効果】
【００１６】
以上の本発明によれば、スタック用であることをほとんど意識させないスタック用の凹凸模様を有する容器が実現する。
【図面の簡単な説明】
【００１７】
【図１】本発明の一実施形態としての容器の斜視図である。
【図２】図１に示す容器の片側断面側面図である。
【図３】図２に示す矢印Ｂ−Ｂの断面図である。
【図４】図２に矢印Ｃで示す部分の拡大断面図である。
【図５】図２に示す矢印Ｄ−Ｄの断面図である。
【図６】図２に矢印Ｅで示す部分の拡大断面図である。
【図７】上方の開口から同型の第２の容器を差し込んでスタックさせた状態を示した断面図である。
【発明を実施するための形態】
【００１８】
以下、本発明の実施形態を説明する。
【００１９】
図１は、本発明の一実施形態としての容器の斜視図である。
【００２０】
この容器１０は、樹脂成形品であって上方に開口２０を有し、その開口２０よりも小径の底板１１（図２を合わせて参照）と、筒形の胴体１２とで形成されている。底板１１は、開口２０よりも小径であり、したがって胴体１２は、底板１１に繋がった下端と比べ開口２０を形成している上端が太径に形成されている。
【００２１】
ここで胴体１２には、複数の個別形状１３が分散配置されている。本実施形態では、これら複数の個別形状１３は、縦方向一列につき４個形成され、周回方向には、上下方向に交互に位置をずらしながら２４個形成されている。
【００２２】
詳細は後述するが、各個別形状１３の上端には、この容器１０の内側に段状に突出した段部１３１が形成されている。
【００２３】
本実施形態の容器１０は、容器胴体全面に複数の個別形状１３を分散配置したため容器の強度が向上し、容器の薄肉化が可能となる。また、それら分散配置された複数の個別形状１３のうちの一部を、強度向上の目的だけでなくスタック用として利用することを可能としている。
【００２４】
図２は、図１に示す容器の片側断面側面図である。
【００２５】
この図２に示すように、この容器１０の底板１１は全体として上方に凸の形状を有し、また周回方向に繰り返す凹凸模様が形成され、これにより底板１１についても強度の向上が図られている。
【００２６】
また、図１にも示したように、胴体１２には上下に４個の個別形状１３の凹凸が形成されている。各個別形状１３の上端には、容器１０の内側に突出した段部１３１が形成されている。より具体的には、本実施形態の個別形状１３は、底板１１に繋がっている個別形状１３Ｂを除き、個々の個別形状形成領域それぞれの下端を回転中心として、個々の個別形状領域それぞれを、胴体１２の、上下に斜めに延びる基面１２１（断面では基線１２１ａ）に対し胴体１２の内側に傾倒させることにより、個々の個別形状形成領域それぞれの上端に段部１３１を形成した形状を有する。一方、個別形状１３Ｂは、底板１１と繋がっている為、底板１１の周縁部分に角が出来て、強度向上に寄与している。
【００２７】
ここで、それら複数の個別形状のうちの、同一高さ位置（この図２における上下に並ぶ４個の個別形状のうちの一番下の個別形状の高さ位置）において周回方向複数の箇所に配置された複数の特定個別形状１３Ａそれぞれの段部１３１Ａは、個別形状１３のうちの特定個別形状１３Ａを除く他の個別形状の段部よりも大きな段差をもって容器１０の内側に突出している。この特定個別形状１３Ａは、他の個別形状１３とともに胴体１２の強度向上に寄与しているとともに、この特定個別形状１３Ａの段部１３１Ａは、この容器１０の上方の開口２０からこの容器と同形の第２の容器を差し込んだときに第２の容器の底板周縁に干渉して第２の容器の更なる下方への差し込みを阻止するスタック用の段部としても作用する。
【００２８】
図３は、図２に示す矢印Ｂ−Ｂの断面図、図４は、図２に矢印Ｃで示す部分の拡大断面図である。
【００２９】
ここでは、図２に示す上下４個の個別形状１３のうちの上から２番目の個別形状で代表させているが、図２に示す上下４個の個別形状１３のうちの上から１〜３番目の個別形状は胴体１２の径が異なることを除き、図３，図４と同様である。
【００３０】
図３，図４に示すように、個別形状１３の上端の段部１３１は、周回方向いずれについても、小さな段差を有する。
【００３１】
図５は、図２に示す矢印Ｄ−Ｄの断面図、図６は、図２に矢印Ｅで示す部分の拡大断面図である。
【００３２】
図２に示す上下４個の個別形状１３のうちの一番下の個別形状１３は、それ以外の個別形状１３と比べ大きな段差の段部１３１Ａを有する特定個別形状１３Ａである。この特定個別形状１３Ａは、本実施形態では、図５に示すように、周回方向に９０°ずつずれた位置に合計４個形成されている。
【００３３】
このように周回方向に４個形成された特定個別形状１３Ａは、段部１３１Ａの段差が他の個別形状１３の段部１３１の段差よりも大きい。しかしながら、この容器１０の全体を眺めたときには、図１に示すようにこの段差の違いはほとんど目だたずに、全体の形状の中に埋れている。したがって通常の使用状態では、この特定個別形状１３Ａの段部１３１Ａがスタック用であることを意識させることはほとんど皆無である。
【００３４】
図７は、上方の開口から、この容器と同型の第２の容器を差し込んでスタックさせた状態を示した断面図である。
【００３５】
この容器１０には、図５に示すように周回方向に４個の特定個別形状１３Ａが形成されており、この容器１０の特定個別形状１３Ａの段部１３１Ａは、上方の開口から差し込まれてきた第２の容器１０’の底板１１’の周縁と干渉して、その第２の容器１０’の更なる下方への差し込みが阻止される。このため、それらの容器１０，１０’どうしの胴体１２，１２’の密着が避けられる。
【００３６】
また、この容器１０は、スタック箇所が一周に渡って連続的に繋がってはおらず複数箇所に分散している為、図７に示すようにスタックされた状態の上側の第２の容器１０’を下側の容器１０から分離しようとしたときに第２の容器１０’の底板１１’と下側の容器１０に囲まれた空間に空気が入りやすくなる。
【００３７】
さらに、この容器１０は、個別形状１３が内側に凹んだ形状な為、第２の容器１０’と下側の容器１０に囲まれた空間と、外気との間の通気性が更に良好となる。
【００３８】
これらの点から、本実施形態の容器１０は、スタックされた容器１０，１０’どうしが張り付いたようにブロッキングしてしまって分離が難しくなるようなことはなく、容易に分離することができる。
【００３９】
ここで、この容器１０は、底板１１よりも開口２０側がテーパ状に開いた形状を有し、その胴体１２の内面は、スタック用として用いる特定個別形状１３Ａを除き、上方から垂直に見下ろしたときに視認できる面と上下方向に垂直な面で形成されている。
【００４０】
この容器１０は、真空成形や圧空成形により作製されるが、この容器１０が上記の形状を有しているため、その成形時に用いる金型を製作するにあたり、その金型の、特定個別形状１３Ａに対応する部分以外のほとんどの領域については、汎用のエンドミルを使って削ることで個別形状１３に対応した金型形状とすることができ、金型製作が容易である。尚、その金型の、特定個別形状１３Ａに対応する部分については、下方に向かって広がった形状に削る必要があり、その形状に合った特殊な形状のエンドミルを使うことになる。
【００４１】
また、この容器１０は、図１に示す状態のまま、すなわち個別形状１３がそのまま剥き出しになっているまま利用してもよく、この容器１０にシュリンクを巻いて利用してもよい。この容器１０には多数の個別形状１３が分散配置されているため、シュリンクを巻くと個別形状１３が目立たず、見た目には丸形状の胴体を持った容器のように感じさせることができる。
【００４２】
尚、上記の実施形態の容器１０では、特定個別形状１３Ａの段部１３１Ａを他の個別形状１３の段部１３１よりも大きな段差に形成することで特定個別形状１３Ａにスタック用としての役割りを担わせているが、スタックの用を担わせる特定個別形状１３Ａの段部１３１Ａについても他の個別形状１３の段部１３１と同じ段差に形成してもよい。この場合、胴体を、上方に向かって、例えばラッパ形状など急速に開いた形状とすることで、一部の、同一高さ位置にある複数の個別形状にスタックの用を担わせることができる。
【００４３】
また、上記の実施形態では、上端を回転中心として内側に傾倒させた形状の個別形状が分散配置されているが、分散配置される個別形状は、内側に突出した段部を有していればよく、この実施形態の個別形状に限られるものではない。
【符号の説明】
【００４４】
１０，１０’        容器
１１，１１’        底板
１２，１２’        胴体
１３，１３Ｂ        個別形状
１３Ａ        特定個別形状
２０        開口
１２１        基面
１２１ａ        基線
１３１，１３１Ａ        段部
【図１】
2014031200.tif 000003
【図２】
2014031200.tif 000004
【図３】
2014031200.tif 000005
【図４】
2014031200.tif 000006
【図５】
2014031200.tif 000007
【図６】
2014031200.tif 000008
【図７】
2014031200.tif 000009